(57)【要約】  車両に取り付け固定される取付体と、スプリングの弾発力により移動するピストンと、ピストンの移動により押圧変形可能なダイアフラムと、所定の測定流体を充填し、ダイアフラム７の押圧により内部圧力が変化可能な油室と、油室内の圧力変化を検出する圧力センサと、ピストンとダイアフラムとの間に備えられるパッドと、を含み、パッドは、ピストンと接触する正面に複数の凹部を設けた凹凸構造とした。
2019159674.tif 000002
【特許請求の範囲】
【請求項１】
車両に取り付け固定される取付体と、
スプリングの弾発力により前記取付体の方向に移動する移動体と、
前記移動体の移動により押圧変形可能なダイアフラムと、
所定の測定流体を充填し、前記ダイアフラムの押圧により内部圧力が変化可能な油室と、
前記油室内の圧力変化を検出し得る圧力センサと、
前記移動体と前記ダイアフラムとの間に備えられるパッドと、を含み、
前記パッドは、前記移動体と接触する面部に凹凸構造を設けた車両の重量測定装置。
【請求項２】
前記凹凸構造は、前記パッドにおけるダイアフラムと接触する面部にも設けられている請求項１に記載の車両の重量測定装置。
【請求項３】
前記凹凸構造は、前記パッドの両面を貫通する貫通孔である請求項１または２に記載の車両の重量測定装置。
【発明の詳細な説明】
【技術分野】
【０００１】
本発明は、車両の重量を測定する装置、例えば自動車の懸架装置に組込み、過積載を検出する車両の重量測定装置に関する。
【背景技術】
【０００２】
自動車、特に、種々の荷物などを運搬するトラックやバンなどの商用車において、例えば、法定積載量を超えて道路を通行する不法な過積載が社会問題となっている。これは、一度にたくさんの荷物を運搬したほうが運送費を少なくできるからである。【０００３】
しかし、このような過積載は次のような種々の問題を招く虞を有しており、避けなければならない。
（１）過積載により自動車の運動性能が低下したり、構成部品が破損したりする虞があるため、事故の原因となることがある。例えば、車軸（ハブ）の破損、タイヤの破損（バースト）、制動距離が長くなりブレーキが過熱して効きにくくなる、車両が横転し易くなるなど、事故等を招く要因を多数有している。
（２）過積載により道路の損傷が激しくなるため、道路のメンテナンス費用が掛かる。【０００４】
このような過積載の防止が困難となっている原因は多々あるが、その内の一つには、積載重量が運転手あるいは同乗者などから容易に認識できないということにある。
すなわち、従来、車両の荷重測定（積載重量測定）は、台秤に測定対象の車両を載せて行っていた。
しかし、台秤の設置は、施設が大がかりで広い設置スペースを必要とするため、及び設置コストが嵩むため、設置できる台秤の台数が制限され多くの車両を測定することなど物理的にも無理があった。【０００５】
そこで、昨今では、特許文献１などに開示されているように、車両自体に搭載して荷重を測定することを可能とした簡易的な荷重測定装置が提案されている。【０００６】
例えば、特許文献１は、車両の荷重が掛かることで伸縮する被荷重部材の異なる取付箇所に２つの溶着部分が溶着されるベースアッシーと、該ベースアッシーにより支持され、車両に掛かる荷重の変化により２つの溶着部分が接近離間する方向にベースアッシーが伸縮することで出力が変化する圧縮歪検出用センサ素子と、該圧縮歪検出用センサ素子の出力を増幅するアンプが実装された回路基板とを備え、圧縮歪を検出することにより荷重測定する簡易的な荷重測定装置を開示している。【０００７】
しかし、従来のこの種の荷重測定装置にあっては、特許文献１のように構成が複雑でかつ回路基板やアンプなどを備える必要があるためコスト高を招いていた。また、これら荷重測定装置が衝撃を受け易い箇所に備えられるため、回路基板やアンプなどに支障を来す虞もあった。【０００８】
そこで本願の出願人は、懸架装置における車体との取付部近傍に組み込まれている軸受装置に着目し、懸架装置に掛かる圧縮方向荷重を計測し得る簡易かつ安価で耐久性に優れた車両の重量測定装置を提供することで上記問題点を解消した（例えば、特許文献２等）。具体的には、重量測定装置を懸架装置に一体に備え、懸架装置のコイルスプリングによって、ピストンが軸方向に案内され、パッドを介してダイアフラムを押圧することによって油室内に充填されている測定流体に圧力を掛け、その圧力変化を圧力センサで検出する。このように、パッドを介してダイアフラムを押圧することで、ダイアフラムへの圧力を均一に伝達できる。【０００９】
特許文献２に開示の重量測定装置は、大きく分けて２つの機能ブロックを備える。
１つ目の機能ブロックは、測定流体（作動油）を充填した油圧室（油室）と、油室の一部を押圧変形可能に構成するダイアフラムと、油室と連通して備えられ、ダイアフラムの押圧による油室の圧力変化を検出する圧力センサからなる車両に固定される荷重検出部（取付体）である。
２つ目の機能ブロックは、スプリングの弾発力などにより、荷重に従って移動して前記ダイアフラムを押圧するピストン部（移動体）である。【００１０】
この種の重量測定装置は、小型商用車を主な対象としている。
小型商用車は、前輪はストラット式あるいはダブルウイッシュボーン式などが使われることが多く、後輪はトレーリングアーム式やセミトレーリングアーム式、あるいはトーションビーム式などが多く利用される。また、このダイアフラムや圧力センサは、後輪用の懸架装置に組み込まれる場合にはボトムプレートに取り付けられ、前輪用の懸架装置に組み込まれる場合には、トッププレートに取り付けられる。
【先行技術文献】
【特許文献】
【００１１】
【特許文献１】日本国特開２００１−３３０５０３号公報
【特許文献２】国際公開２０１８／０１６４８１号パンフレット
【発明の概要】
【発明が解決しようとする課題】
【００１２】
従来、この種の重量測定装置において、例えば、ピストンとダイアフラムとの間に挟みこまれているパッドは、ピストン並びにダイアフラムと接触する面、すなわち、受圧面部の表面形状が、ダイアフラムへの圧力を均一に伝達するため平滑面に形成されている。【００１３】
このようにパッドの受圧面部の表面形状を平滑面とするためには、パッド成型時に発生する歪みを除去する必要がある。
従来、パッド成形時に発生する歪みを除去して受圧面部の表面形状を精密な平滑面とするためには、冷却時間を延ばしたり、プレスでの追加工をしたりしていた。
また、パッドの受圧面部表面の磨耗防止のため、組立工程においてパッドの受圧面部表面へのグリスを塗布している。【００１４】
ところが、精密な平滑面を確保するために、パッド成型時に発生する歪みの除去工程や、材料強度を確保する為に内部欠陥を除去する熱処理工程といった製造管理における追加コストが高くなる。
また、ダイアフラムならびにピストン部の圧接面を、パッドの受圧面部に密着させる際に、前記圧接面と受圧面部との間にエアが混入するとピストンアッセンブリー不良を招く虞がある。このため、前記圧接面と受圧面部との間のエア抜きをする必要があるが、エア抜き作業は大変困難であった。
また、繰り返し外部入力によりグリス切れが起こり易く、このグリス切れがパッドの受圧面部表面の磨耗を進行させ、面剛性の低下が発生する可能性が判ってきた。
さらに、樹脂製パッドの場合、射出成形時にパッドの受圧面部表面にウエルドラインが形成される。しかし、従来の樹脂製パッドの受圧面部表面に形成されるこのようなウエルドラインは線形に形成されているため、金型内に射出された樹脂同士の境界面の強度低下が見られることがある。【００１５】
なお、このような車両の重量測定装置は、一例として説明した過積載防止の分野において利用されるだけではなく、例えば、積載荷重に応じて、積載重量に応じた変速制御を図り環境性（省燃費）を向上する分野であったり、重量配分を考慮したブレーキ制御を図り安全性を向上する分野であったり、あるいは、操舵雰囲気を一定に保つ制御を図り快適性を向上する分野などであっても利用可能であり、種々の分野において用いられるものである。このため上述の課題は重要な解決課題の一つである。【００１６】
上述の事情に鑑み、本発明の一態様によれば、コスト低減を図りつつ受圧面部表面の精密な平滑度を得るとともに、受圧面部表面の磨耗低減を図り、また剛性を向上し得るパッドを備えた車両の重量測定装置を提供する。
【課題を解決するための手段】
【００１７】
発明の一実施形態に係る車両の重量測定装置は、
車両に取り付け固定される取付体と、
スプリングの弾発力により前記取付体の方向に移動する移動体と、
前記移動体の移動により押圧変形可能なダイアフラムと、
所定の測定流体を充填し、前記ダイアフラムの押圧により内部圧力が変化可能な油室と、
前記油室内の圧力変化を検出する圧力センサと、
前記移動体と前記ダイアフラムとの間に備えられるパッドと、を含み、
前記パッドは、前記移動体と接触する面部に凹凸構造を設けた。【００１８】
上記車両の重量測定装置において、前記凹凸構造は、前記パッドにおけるダイアフラムと接触する面部にも設けられていてもよい。【００１９】
上記車両の重量測定装置において、前記凹凸構造は、前記パッドの両面を貫通する貫通孔であってもよい。
【発明の効果】
【００２０】
上記構成によれば、コスト低減を図りつつ受圧面部表面の精密な平滑度を得るとともに、受圧面部表面の磨耗低減を図り、また剛性を向上し得るパッドを備えた車両の重量測定装置を提供できる。
【図面の簡単な説明】
【００２１】
【図１】本発明の第一実施形態における車両の重量測定装置を示す全体概略断面図である。
【図２】第一実施形態に用いられているパッドの斜視図である。
【図３】第一実施形態のパッドであって、（ａ）は平面図、（ｂ）は（ａ）のI−I線断面図、（ｃ）は（ｂ）の円で囲んだ領域の部分拡大図である。
【図４】第一実施形態のパッドのウエルドラインを破線にて示す平面図である。
【図５】パッドの他の実施形態を示す斜視図である。
【図６】図５に示す他の実施形態のパッドであって、（ａ）は平面図、（ｂ）は（ａ）のII−II線断面図、（ｃ）は（ｂ）の円で囲んだ領域の部分拡大図である。
【図７】パッドの他の実施形態を示す斜視図である。
【図８】図７に示す他の実施形態のパッドであって、（ａ）は平面図、（ｂ）は（ａ）のIII−III線断面図、（ｃ）は（ｂ）の円で囲んだ領域の部分拡大図である。
【図９】パッドの他の実施形態を示す斜視図である。
【図１０】図９に示す他の実施形態のパッドであって、（ａ）は平面図、（ｂ）は（ａ）のIV−IV線断面図、（ｃ）は（ｂ）の円で囲んだ領域の部分拡大図である。
【図１１】パッドの他の実施形態を示す斜視図である。
【図１２】図１１に示す他の実施形態のパッドであって、（ａ）は平面図、（ｂ）は（ａ）のV−V線断面図、（ｃ）は（ｂ）の円で囲んだ領域の部分拡大図である。
【図１３】本発明の第二実施形態における車両の重量測定装置を示す全体概略断面図である。
【図１４】第二実施形態に用いられているパッドの斜視図である。
【図１５】第二実施形態のパッドであって、（ａ）は平面図（正面図）、（ｂ）は背面図（裏面図）、（ｃ）は（ａ）のVI−VI線断面図、（ｄ）は（ｃ）の円で囲んだ領域の部分拡大図である。
【図１６】パッドの他の実施形態を示す部分拡大図であって、図３（ｃ）に対応するものである。
【発明を実施するための形態】
【００２２】
以下、本発明の実施形態に係る車両の重量測定装置を自動車の懸架装置（サスペンション）に用いた例を、添付図面を参照して説明する。本実施形態では、自動車の前輪用の懸架装置に適用した例を示すが、後輪用の懸架装置に適用されてもよい。
なお、本実施形態は、本発明の一実施形態であって、何等これに限定解釈されるものではなく本発明の範囲内で設計変更可能である。
＜第一実施形態＞
【００２３】
本実施形態の車両の重量測定装置は、スプリングの弾発力により矢印Ｖで示す方向に移動する移動体（ピストン部）１７と、車両側に取付固定される取付体（荷重検出部）１とを備える。
【００２４】
取付体１は、車両側に取り付け固定されるトッププレート３と、トッププレート３の下面に備えられるカラー９と、トッププレート３とカラー９とによって挟まれて固定されるダイアフラム７と、トッププレート３とダイアフラム７との間で形成され、所定の測定流体（作動油）が充填される油室１３と、トッププレート３の上面に備えられ、油室１３内に充填されている測定流体の圧力変化を検出し得る圧力センサ１５と、を含む。
【００２５】
トッププレート３は、上面側が車両側に固定され、かつ下面側に開口し、ダイアフラム７によって開口領域が覆われることにより油室１３が形成される溝部５を設けている。
カラー９は、溝部５の開口領域よりも大径に形成され、ダイアフラム７の外径寄りの面部を、溝部５の開口領域より外側の面部との間で挟み込んで密閉固定されている。
また、移動体１７と取付体１との間に、油室１３への異物侵入を防止する密封構造が備えられている。
ダイアフラム７は、外径寄りの表裏面部に、それぞれリップ状に突出する環状のシール部材（密封構造）１０が一体に形成されている。なお、図中符号１１はＯリング（密封構造）を示す。
【００２６】
移動体１７は、図示しないコイルスプリングの一端（上端）を受け、パッド２７を介してダイアフラム７を鉛直方向（図中矢印Ｖで示す方向）に押圧可能なピストン１９を含んでいる。
【００２７】
ピストン１９は、少なくとも、大径円筒部２１と、大径円筒部２１の上面にて、大径円筒部２１よりも小径の円筒状に連続して垂直に立ち上げ形成された小径円筒部２５とを備える。
【００２８】
小径円筒部２５の上面には、パッド２７を突出状に収容可能な凹形状のパッド収容部２５ａを備える。
【００２９】
パッド２７は、ピストン１９のパッド収容部２５ａに嵌合可能な外径を有するとともに、パッド収容部２５ａから突出可能な高さを有する円板形状を有する。
パッド２７は、ゴム、樹脂、金属等この種の測定装置に組み込まれるパッドとして周知の材料で成形されており、油種や温度領域に適したものを本発明の範囲内において適宜選定する。なお、本実施形態では、樹脂製パッドを用いている。
【００３０】
パッド２７は、射出成形により受圧面部の表面、すなわち、パッド２７の正面（ピストン１９と接触する面部）２７ａと、背面（ダイアフラム７と接触する面部）２７ｂに、それぞれ複数の凹部２９を備えた凹凸構造を設けている。
【００３１】
パッド２７の円中心Ｓから外周に向けて放射状に、平面視で四角形状の凹部２９が複数個設けられている。
言い換えると、パッド２７の円中心Ｓから外周方向に、同心円状に所定径の複数の環状（サークル）を形成するように所定数の凹部２９が設けられている。すなわち、円中心Ｓ側から第一のサークル３１を構成する８個の第一の凹部２９ａ、第一のサークル３１の外側で第二のサークル３３を構成する１６個の第二の凹部２９ｂ、第二のサークル３３の外側で第三のサークル３５を構成する１６個の第三の凹部２９ｃ、第三のサークル３５の外側で第四のサークル３７を構成する２４個の第四の凹部２９ｄ、第四のサークル３７の外側で第五のサークル３９を構成する２４個の第五の凹部２９ｅ、がそれぞれ設けられている。
【００３２】
第一の凹部２９ａ、第二の凹部２９ｂ、第三の凹部２９ｃ、第四の凹部２９ｄ、第五の凹部２９ｅは、それぞれ平面視で、内周側の辺よりも外周側の辺が長く形成されたほぼ扇形状を有している。
また、第一の凹部２９ａよりも第三の凹部２９ｃが大きく、第三の凹部２９ｃよりも第五の凹部２９ｅが大きく、また、第二の凹部２９ｂは、第一の凹部２９ａよりも小さく、第四の凹部２９ｄは第三の凹部２９ｃよりも小さい。
【００３３】
正面２７ａと背面２７ｂの凹部２９はそれぞれ背中合わせに設けられている（図３（ｂ）参照。）。背中合わせに位置する凹部２９は同一形状である。
凹部２９の上端縁２９ｆはＲ状に面取りされているとともに、上端縁２９ｆから内底に向けて僅かに角度をもって下り傾斜状に内周面が形成されている（図３（ｃ）参照。）。
【００３４】
なお、正面２７ａと背面２７ｂの凹部２９が設けられている位置をずらしてもよい。また、正面２７ａと背面２７ｂのそれぞれの凹部２９の形状を異にしてもよい。
さらに、正面２７ａと背面２７ｂの凹部２９をランダムに形成してもよい。
【００３５】
本実施形態によれば、パッド２７の正面２７ａと背面２７ｂに凹部２９を設けることで、成形型への樹脂材料の投入重量を減らすことができ、製造コスト・製品コストが低減できる。
また、複数個の凹部２９を設けたことによりパッド２７全体の重量が低減され、パッド２７全体の軽量化が図れる。
【００３６】
パッド２７の正面２７ａと背面２７ｂに凹部２９を設けることで、パッド２７の表面積拡大に伴って、成形型から取り出された冷却効率向上により、部品の反りや歪みを防止できることと追加工削減による製造コストの低減が図れる。すなわち、従来のパッド形状に対し、正面２７ａ並びに背面２７ｂに放射状に複数の凹部（溝）２９を設けることで、過度な肉厚を避け、射出成形後の冷却効率を上げることができる。これにより、ボイドやヒケ、歪みの発生を抑え、安定して平滑度を確保したパッド成型が出来る。したがって、追加工せず、ピストン１９からの圧力をダイアフラム７に均一に伝えることができ、製造コストが削減される。
【００３７】
また凹部２９を設けることで面形状が複雑になるため、剛性向上が見込まれ、ピストン１９による繰り返しの面直方向入力に対し、強度耐久性が図れる。
また、それぞれの凹部２９がグリス溜まりとして機能するため、パッド２７の表面（受圧部表面）のグリス切れの虞もない。また、凹部２９は、組立時のエア抜きとしても機能している。
【００３８】
また本実施形態に示す凹部２９を備えることにより、ピンゲート（例えば図４にて〇印で示す位置を想定する。）から射出成形されてできるウエルドライン４１は、図４にて破線で示すような非線形に形成される。これにより、ピンゲート４１から射出された樹脂同士の境界面の強度が上がり、面剛性が向上できる。さらに剛性向上代で板厚低減することも可能で、部品自体が軽量化される。
【００３９】
なお、本実施形態では、パッド２７の正面２７ａと背面２７ｂの双方に、それぞれ複数の凹部２９を備えた凹凸構造を設けているが、少なくとも、ピストン１９と接するパッド２７の正面（受圧部表面）２７ａに凹凸構造を設けていればよい。
「パッドの他の実施形態」
【００４０】
図５及び図６は第一実施形態の重量測定装置に用いられるパッド２７の他の実施形態を示し、パッド２７の凹部２９の構造が第一実施形態と異なっている。
【００４１】
本実施形態では、パッド２７の正面２７ａ及び背面２７ｂには、複数のハニカム状の凹部（溝）２９が形成されている。
【００４２】
本実施形態によれば、凹部２９は、全て同一大きさのハニカム状に形成されている。また、本実施形態では、各辺が同一長さの平面視で正六角形のハニカム状の凹部２９にて説明するが、これに限定されず、各辺が同一ではない平面視で六角形のハニカム状の凹部であってもよい。
その他の構成及び作用効果は第一実施形態と同一であるため詳細な説明は省略する。
「パッドの他の実施形態」
【００４３】
図７及び図８は第一実施形態の重量測定装置に用いられるパッド２７の他の実施形態を示し、パッド２７の凹部２９の構造が第一実施形態と異なっている。
本実施形態では、パッド２７の正面２７ａ及び背面２７ｂは複数のディンプル状の凹部（溝）２９が形成されている。つまり、凹部の断面形状は図８（ｃ）示すように円弧形状である。
【００４４】
本実施形態によれば、凹部２９は、全て同一大きさの平面視で円形のディンプル状に形成されている。また、異なる大きさの平面視で円形のディンプル状に形成されている凹部の組合せからなるものであってもよい。
その他の構成及び作用効果は第一実施形態と同一であるため詳細な説明は省略する。
「パッドの他の実施形態」
【００４５】
図９及び図１０は、第一実施形態の重量測定装置に用いられるパッド２７の他の実施形態を示し、パッド２７の凹部２９の構造が第一実施形態と異なっている。
本実施形態では、パッド２７の正面２７ａ及び背面２７ｂは複数の格子状の凹部（溝）２９で形成されている。
【００４６】
本実施形態によれば、凹部２９は、全て同一大きさの平面視で正方形に形成され、格子状に形成されている。また、異なる大きさの平面視で正方形の凹部の組合せにて格子状に形成されてなるものであってもよい。また、平面視で長方形状の凹部の組合せにて格子状に形成されてなるものであってもよい。
その他の構成及び作用効果は第一実施形態と同一であるため詳細な説明は省略する。
「パッドの他の実施形態」
【００４７】
図１１及び図１２は、第一実施形態の重量測定装置に用いられるパッド２７の他の実施形態を示し、パッド２７の凹部２９の構造が第一実施形態と異なっている。
本実施形態では、パッド２７の正面２７ａ及び背面２７ｂは同心円状に複数個の環状の凹部（波型溝）２９で形成されている。
【００４８】
本実施形態によれば、それぞれの凹部２９は、同一幅の環状溝でそれぞれが独立して形成されている。
それぞれの凹部２９は、異なる幅の環状溝としてもよい。
なお、凹部２９は連続した螺旋状に形成されてもよい。
その他の構成及び作用効果は第一実施形態と同一であるため詳細な説明は省略する。
＜第二実施形態＞
【００４９】
図１３乃至図１５は本発明の第二実施形態に係る車両の重量測定装置を示す。
本実施形態は、前輪用の懸架装置に用いられる他の重量測定装置の実施形態であって、中空状のピストン１９と環状（ホロータイプ）のダイアフラム７との間に環状のパッド２７を組み込んで構成されているものであって、パッド２７の正面２７a及び背面２７ｂに複数の凹部（溝）２９を形成している。なお、本実施形態では、パッド２７の形態に特徴を有するものであって、パッド２７以外の構成は周知の形態でよく、本発明の範囲内で適宜採用可能である。
【００５０】
パッド２７は、正面２７ａよりも背面２７ｂを広く形成した、断面視でほぼ台形状に形成され（図１５（ｄ）参照）、その正面２７ａと背面２７ｂに、それぞれ平面視でほぼ三角形状に形成された凹部（溝）２９（２９ｇ，２９ｈ）を複数個形成している。
【００５１】
正面２７ａのすべての凹部２９ｇは同一形状、背面２７ｂの全ての凹部２９ｈは同一形状に形成されている。それぞれの正面２７ａの凹部２９ｇは異なる形状の複数個の凹部で構成されているものであってもよく、また背面２７ｂの凹部２９ｈは異なる形状の複数個の凹部で構成されているものであってもよい。
【００５２】
正面２７ａの凹部２９ｇに対して背面２７ｂの凹部２９ｈを大きく形成している。凹部２９はそれぞれが独立して形成されているが、一箇所乃至複数箇所で連通していてもよい。
なお、パッド２７の断面視形状や凹部（溝）２９の形状は、本実施形態に限定されるものではなく、例えば、格子状やディンプル状など適宜設計変更可能である。
「パッドの他の実施形態」
【００５３】
なお、図２乃至図４に示された第一実施形態、図５乃至図１０に示されたそれぞれの他の実施形態および図１４、図１５に示された第二実施形態のパッド２７の凹凸構造は両面を貫通する貫通孔で構成されてもよい。
図１６（ａ）、（ｂ）、（ｃ）、（ｄ）、（ｅ）は、ぞれぞれ図３（ｃ）、図６（ｃ）、図８（ｃ）、図１０（ｃ）、図１５（ｄ）に対応する、貫通孔４３を設けた実施形態のパッド２７の部分拡大断面図である。
【００５４】
例えば、図１６（ａ）に示す実施形態では、パッド２７の正面２７ａから背面２７ｂに貫通する貫通孔４３が形成されている。貫通孔４３の上端縁４３ｆはＲ状に面取りされているとともに、上端縁４３ｆから厚さ方向中心に向けて僅かに角度をもって下り傾斜状に内周面が形成されている。図１６（ｂ）乃至図１６（ｅ）も同様に貫通孔が形成されている。
【００５５】
本実施形態によれば、パッド２７の正面２７ａと背面２７ｂに貫通孔４３を設けることで、成形型への樹脂材料の投入重量をさらに減らすことができ、製造コスト・製品コストが低減できる。
また、複数個の貫通孔４３を設けたことによりパッド２７全体の重量がさらに低減され、パッド２７全体の軽量化が図れる。
【００５６】
パッド２７の正面２７ａと背面２７ｂに貫通孔４３を設けることで、パッド２７の表面積拡大に伴って、成形型から取り出された冷却効率向上により、部品の反りや歪みを防止できることと追加工削減による製造コストの低減が図れる。すなわち、従来のパッド形状に対し、正面２７ａ並びに背面２７ｂに放射状に複数の貫通孔４３を設けることで、射出成形後の冷却効率を上げることができる。これにより、ボイドやヒケ、歪みの発生を抑え、安定して平滑度を確保したパッド成型が出来る。したがって、追加工せず、ピストン１９からの圧力をダイアフラム７に均一に伝えることができ、製造コストが削減される。
【００５７】
また貫通孔４３を設けることで面形状が複雑になるため、剛性向上が見込まれ、ピストン１９による繰り返しの面直方向入力に対し、強度耐久性が図れる。
また、それぞれの貫通孔４３がグリス溜まりとして機能するため、パッド２７の表面（受圧部表面）のグリス切れの虞もない。また、貫通孔４３は、組立時のエア抜きとしても機能している。
【００５８】
また本実施形態に示す貫通孔４３を備えることにより、ピンゲート（例えば図４にて〇印で示す位置を想定する。）から射出成形されてできるウエルドライン４１は、図４にて破線で示すような非線形に形成される。これにより、ピンゲート４１から射出された樹脂同士の境界面の強度が上がり、面剛性が向上できる。さらに剛性向上代で板厚低減することも可能で、部品自体が軽量化される。
【００５９】
各凹部２９からなるそれぞれの実施形態に示す凹凸構造は、積載荷重センサを適用する自動車の使われ方（最大積載重量、サスペンション仕様、市場での路面負荷倍率など）に対し、油圧室から検出する設定油圧に応じて使い分けることが可能となる。
【００６０】
なお、本出願は、２０１８年２月１５日出願の日本特許出願（特願２０１８−０２４８０７）に基づくものであり、その内容は本出願の中に参照として援用される。
【産業上の利用可能性】
【００６１】
本発明は、本実施形態に示す構成からなる懸架装置に係らず、他の構成からなる懸架装置にも利用可能である。
また、本発明の車両の重量測定装置は、積載重量に応じた変速制御を図り環境性（省燃費）を向上する、重量配分を考慮したブレーキ制御を図り安全性を向上する、操舵雰囲気を一定に保つ制御を図り快適性を向上する分野においても利用可能である。
【符号の説明】
【００６２】
１  取付体
３  トッププレート
７  ダイアフラム
１３  油室
１５  圧力センサ
１７  移動体
１９  ピストン
２７  パッド
２９  凹部
４３  貫通孔
【図１】
2019159674.tif 000003
【図２】
2019159674.tif 000004
【図３】
2019159674.tif 000005
【図４】
2019159674.tif 000006
【図５】
2019159674.tif 000007
【図６】
2019159674.tif 000008
【図７】
2019159674.tif 000009
【図８】
2019159674.tif 000010
【図９】
2019159674.tif 000011
【図１０】
2019159674.tif 000012
【図１１】
2019159674.tif 000013
【図１２】
2019159674.tif 000014
【図１３】
2019159674.tif 000015
【図１４】
2019159674.tif 000016
【図１５】
2019159674.tif 000017
【図１６】
2019159674.tif 000018
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
車両に取り付け固定される取付体と、
スプリングの弾発力により前記取付体の方向に移動する移動体と、
前記移動体の移動により押圧変形可能なダイアフラムと、
所定の測定流体を充填し、前記ダイアフラムの押圧により内部圧力が変化可能な油室と、
前記油室内の圧力変化を検出し得る圧力センサと、
前記移動体と前記ダイアフラムとの間に備えられるパッドと、を含み、
前記パッドは、前記移動体と接触する正面、及び前記ダイアフラムと接触する背面に、それぞれ凹凸構造を設けた車両の重量測定装置。
【請求項２】
前記凹凸構造は、前記パッドの前記正面と前記背面とを貫通する貫通孔である請求項１に記載の車両の重量測定装置。
【請求項３】
前記凹凸構造は、前記パッドの前記正面と前記背面に形成された複数の凹部である請求項１に記載の車両の重量測定装置。
【請求項４】
前記複数の凹部は、前記パッドの円中心から外周方向に向けて、同心円状に所定径の複数のサークルを形成するように配列され、外周のサークルの前記凹部ほど小さく形成されている請求項３に記載の車両の重量測定装置。
【請求項５】
前記複数の凹部は、前記正面と前記背面にそれぞれ背面合わせに設けられ、背面合わせに位置する凹部同士は同一形状である請求項３に記載の車両の重量測定装置。
【請求項６】
前記パッドは樹脂製の射出成形品であり、
前記凹凸構造の凹部に、樹脂が射出されるピンゲートの跡を有する請求項１〜５のいずれか１項に記載の車両の重量測定装置。
【手続補正２】
【補正対象書類名】明細書
【補正対象項目名】００１７
【補正方法】変更
【補正の内容】
【００１７】
発明の一実施形態に係る車両の重量測定装置は、
車両に取り付け固定される取付体と、
スプリングの弾発力により前記取付体の方向に移動する移動体と、
前記移動体の移動により押圧変形可能なダイアフラムと、
所定の測定流体を充填し、前記ダイアフラムの押圧により内部圧力が変化可能な油室と、
前記油室内の圧力変化を検出し得る圧力センサと、
前記移動体と前記ダイアフラムとの間に備えられるパッドと、を含み、
前記パッドは、前記移動体と接触する正面、及び前記ダイアフラムと接触する背面に、それぞれ凹凸構造を設けた。 
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】変更
【補正の内容】
【００１９】
上記車両の重量測定装置において、前記凹凸構造は、前記パッドの前記正面と前記背面とを貫通する貫通孔であってもよい。
また、前記凹凸構造は、前記パッドの前記正面と前記背面に形成された複数の凹部であってもよい。
その場合の前記複数の凹部は、前記パッドの円中心から外周方向に向けて、同心円状に所定径の複数のサークルを形成するように配列され、外周のサークルの前記凹部ほど小さく形成されていてもよい。
また、前記複数の凹部は、前記正面と前記背面にそれぞれ背面合わせに設けられ、背面合わせに位置する凹部同士は同一形状であってもよい。
そして、前記パッドは樹脂製の射出成形品であり、前記凹凸構造の凹部に、樹脂が射出されるピンゲートの跡を有していてもよい。
【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
車両に取り付け固定される取付体と、
スプリングの弾発力により前記取付体の方向に移動する移動体と、
前記移動体の移動により押圧変形可能なダイアフラムと、
所定の測定流体を充填し、前記ダイアフラムの押圧により内部圧力が変化可能な油室と、
前記油室内の圧力変化を検出し得る圧力センサと、
前記移動体と前記ダイアフラムとの間に備えられるパッドと、を含み、
前記パッドは、前記移動体と接触する正面、及び前記ダイアフラムと接触する背面に、
それぞれ凹凸構造を設けた車両の重量測定装置。
【請求項２】
前記凹凸構造は、前記パッドの前記正面と前記背面とを貫通する貫通孔である請求項１に記載の車両の重量測定装置。
【請求項３】
前記凹凸構造は、前記パッドの前記正面と前記背面に形成された複数の凹部である請求項１に記載の車両の重量測定装置。
【請求項４】
前記複数の凹部の大きさは、円板形状の前記パッドの円中心から外周方向に向けて、前記凹部の面積が大小大小の順に交互に形成されている請求項３に記載の車両の重量測定装置。
【請求項５】
前記複数の凹部は、前記正面と前記背面にそれぞれ背面合わせに設けられ、背面合わせに位置する凹部同士は同一形状である請求項３に記載の車両の重量測定装置。
【請求項６】
前記パッドは樹脂製の射出成形品であり、
前記凹凸構造の凹部に、樹脂が射出されるピンゲートの跡を有する請求項１〜５のいずれか１項に記載の車両の重量測定装置。
【手続補正２】
【補正対象書類名】明細書
【補正対象項目名】００１９
【補正方法】変更
【補正の内容】
【００１９】
上記車両の重量測定装置において、前記凹凸構造は、前記パッドの前記正面と前記背面とを貫通する貫通孔であってもよい。
また、前記凹凸構造は、前記パッドの前記正面と前記背面に形成された複数の凹部であってもよい。
その場合の前記複数の凹部の大きさは、円板形状の前記パッドの円中心から外周方向に向けて、前記凹部の面積が大小大小の順に交互に形成されていてもよい。
また、前記複数の凹部は、前記正面と前記背面にそれぞれ背面合わせに設けられ、背面合わせに位置する凹部同士は同一形状であってもよい。
そして、前記パッドは樹脂製の射出成形品であり、前記凹凸構造の凹部に、樹脂が射出されるピンゲートの跡を有していてもよい。
【国際調査報告】
2019159674.tif 000019
2019159674.tif 000020